(57)【要約】【課題】フラット電線を捩れることなく作業性良くスムーズ且つ確実に配索できるようにする。【解決手段】少なくとも二本の支柱３１，３２を含み、一方の支柱の先端部側と他方の支柱の先端部側との間でフラット電線３３を連続して往復方向にＵターンさせて複数層に重ね合わせ可能とし、一方の支柱を他方の支柱よりも他方の支柱の外径寸法分だけ重ね合わせ方向に位相ずれして配置した。フラット電線３３を折り返して少なくとも三層ないしそれ以上の層に重ね合わせ、その重ね合わせ部を、車両へのフラット電線の配索時に容易に破断する結束部材を用いて仮固定した。【選択図】図１
2008117784.tif 000002
【特許請求の範囲】
【請求項１】
少なくとも二本の支柱を含み、一方の支柱の先端部側と他方の支柱の先端部側との間でフラット電線を連続して往復方向にＵターンさせて複数層に重ね合わせ可能とし、該一方の支柱は該他方の支柱よりも該他方の支柱の外径寸法分だけ該重ね合わせ方向に位相ずれして配置されたことを特徴とするフラット電線配索治具構造。
【請求項２】
請求項１記載のフラット電線用配索治具構造を用い、フラット電線を一方の支柱の側方を通過して他方の支柱でＵターンさせ、次いで一方の支柱でＵターンさせて、複数層の重ね部を構成させることを特徴とするフラット電線配索方法。
【請求項３】
前記一方の支柱と前記他方の支柱とから前記フラット電線を１８０°方向に延長導出させることを特徴とする請求項２記載のフラット電線配索方法。
【請求項４】
前記複数層の重ね部を厚さ方向に重ね合わせて結束部材で仮固定することを特徴とする請求項２又は３記載のフラット電線配索方法。
【請求項５】
請求項１記載のフラット電線配索治具構造を用いて、フラット電線を折り返して少なくとも三層ないしそれ以上の層に重ね合わせ、その重ね合わせ部を、車両への該フラット電線の配索時に容易に破断する結束部材を用いて仮固定して構成されることを特徴とするフラット電線組立体。
【請求項６】
前記折り返し部に続く一方の電線延長部にマーク部を設けたことを特徴とする請求項５記載のフラット電線組立体。
【請求項７】
請求項５又は６記載のフラット電線組立体を用い、前記フラット電線の重ね合わせ部の最下層に続く電線延長部を配索面に固定した後、該重ね合わせ部の最上層に続く電線延長部を引っ張って該フラット電線を該配索面上に配索することを特徴とするフラット電線配索方法。
【請求項８】
前記配索面に接着層を設けておくことを特徴とする請求項７記載のフラット電線配索方法。
【発明の詳細な説明】
【技術分野】
【０００１】
本発明は、フラット電線を布線板上で捩れなく重ね合わせて車両等に捩れなく容易に配索できるようにしたフラット電線用配索治具構造及びフラット電線配索方法並びにフラット電線組立体に関するものである。
【背景技術】
【０００２】
図８は、従来の丸型電線のための配索治具と配索方法の一形態を示すものである（特許文献１参照）。
【０００３】
丸型電線（絶縁被覆電線）６１，７０は、布線板６２上に立設されたＵフォーク状や櫛歯状の配索治具６３，６４に引っ掛けられつつ、所要形状に屈曲ないしＵターンされて配索されている。
【０００４】
各配索治具６３，６４は金属で形成され、支柱部６５，６７とフォーク部６６，６８を有し、支柱部６５，６７の下端がナット締め等で水平又は傾斜状の布線板６２に固定されている。各電線６１，７０は予め同一長さに切断されており、ワイヤハーネス（組電線）の設定長さに応じて電線６１の余長部６１'を配索治具６４に引っ掛けつつＵターンさせて、余長を吸収させている。電線６１のＵターン部分（余長部）６１'はテープ６９で他の電線７０と共にばらつかないように固定している。Ｕターン部６１'の長さを変えることで、車種（ワイヤハーネスの設定長さ）に応じて電線６１の全長を調整可能である。
【特許文献１】特開平１０−２０８５６７号公報（第３頁、図２）
【発明の開示】
【発明が解決しようとする課題】
【０００５】
しかしながら、上記従来の電線配索治具や電線配索方法にあっては、丸型電線６１，７０はスムーズに配索できるものの、フラットワイヤハーネス等の可撓性のフラット電線については配索途中で捩れを生じやすく、スムーズな配索が困難であるという問題があった。
【０００６】
また、フラット電線を車両等に配索する際に、フラット電線が捩れて配索作業性が悪いという問題があった。作業者はフラット電線が捩れないように常に気を使って作業をしなければならず、作業者の精神的負担が大きかった。
【０００７】
本発明は、上記した点に鑑み、フラット電線を捩れることなく作業性良くスムーズ且つ確実に配索することのできるフラット電線配索治具構造及びフラット電線配索方法並びにフラット電線組立体を提供することを目的とする。
【課題を解決するための手段】
【０００８】
上記目的を達成するために、本発明の請求項１に係るフラット電線配索治具構造は、少なくとも二本の支柱を含み、一方の支柱の先端部側と他方の支柱の先端部側との間でフラット電線を連続して往復方向にＵターンさせて複数層に重ね合わせ可能とし、該一方の支柱は該他方の支柱よりも該他方の支柱の外径寸法分だけ該重ね合わせ方向に位相ずれして配置されたことを特徴とする。
【０００９】
上記構成により、フラット電線が支柱と平行の姿勢で縦置きに配索される。張り出した腕部を持たないので、配索工程が省スペース化される。フラット電線を小ピッチで高密度に重ねて配索することができる。二本の支柱の間で例えばフラット電線が二回のＵターンを行って三層に重なって（各層の間には隙間を存する）捩れなく平行に配索される。複数層に重なって配索されることで、フラット電線の全長が短縮され、配索工程が省スペース化されると共に、配索中の捩れが容易に発見される。また、フラット電線を比較的短くＵターンさせることで、フラット電線を捩れなく配索することができる。また、フラット電線の重なり部（重ね部）を密着させた状態でテープ等で仮固定することで、配索治具から外した後のフラット電線の捩れが防止される。
【００１０】
請求項２に係るフラット電線配索方法は、請求項１記載のフラット電線用配索治具構造を用い、フラット電線を一方の支柱の側方を通過して他方の支柱でＵターンさせ、次いで一方の支柱でＵターンさせて、複数層の重ね部を構成させることを特徴とする。
【００１１】
上記構成により、フラット電線が支柱と平行の姿勢で縦置きに配索される。張り出した腕部を持たないので、配索工程が省スペース化される。フラット電線を小ピッチで高密度に重ねて配索することができる。
【００１２】
請求項３に係るフラット電線配索方法は、請求項２記載のフラット電線配索方法において、前記一方の支柱と前記他方の支柱とから前記フラット電線を１８０°方向に延長導出させることを特徴とする。
【００１３】
上記構成により、フラット電線を配索治具から外して車両ボディ等の配索面に配索する際に、一方の延長導出側を配索面に固定し、他方の延長導出側を引っ張ることで、フラット電線の重ね合わせ部が解かれつつ捩れなく効率的に配索が行われる。
【００１４】
請求項４に係るフラット電線配索方法は、請求項２又は３記載のフラット電線配索方法において、前記複数層の重ね部を厚さ方向に重ね合わせて結束部材で仮固定することを特徴とする。
【００１５】
上記構成により、複数層の重ね部が相互に密着ないし接触した状態で結束部材でばらけなく仮固定される。これにより、フラット電線が捩れがなく収束され、以後の取り扱いが容易化する。そして、結束部材を外してフラット電線の重ね合わせ部を解きつつ車両ボディ等に捩れなく効率的に配索することができる。
【００１６】
請求項５に係るフラット電線組立体は、請求項１記載のフラット電線配索治具構造を用いて、フラット電線を折り返して少なくとも三層ないしそれ以上の層に重ね合わせ、その重ね合わせ部を、車両への該フラット電線の配索時に容易に破断する結束部材を用いて仮固定して構成されることを特徴とする。
【００１７】
上記構成により、フラット電線の一方の延長導出側を配索面に固定し、他方の延長導出側を引っ張ることで、結束部材が破断して、フラット電線の重ね合わせ部が解かれつつ捩れなく効率的に車両ボディ等への配索が行われる。
【００１８】
請求項６に係るフラット電線組立体は、請求項５記載のフラット電線組立体において、前記折り返し部に続く一方の電線延長部にマーク部を設けたことを特徴とする。
【００１９】
上記構成により、作業者がマーク部によりフラット電線の一方の延長導出側を正確に認識することができる。そして、マーク部を持って一方の延長導出側を引っ張ることで、フラット電線が捩れなく容易に且つ確実に配索される。
【００２０】
請求項７に係るフラット電線配索方法は、請求項５又は６記載のフラット電線組立体を用い、前記フラット電線の重ね合わせ部の最下層に続く電線延長部を配索面に固定した後、該重ね合わせ部の最上層に続く電線延長部を引っ張って該フラット電線を該配索面上に配索することを特徴とする。
【００２１】
上記構成により、フラット電線の一方の延長導出側を配索面に固定し、他方の延長導出側を引っ張ることで、結束部材が破断して、フラット電線の重ね合わせ部が解かれつつ捩れなく効率的に車両ボディ等への配索が行われる。
【００２２】
請求項８に係るフラット電線配索方法は、請求項７記載のフラット電線の配索方法において、前記配索面に接着層を設けておくことを特徴とする。
【００２３】
上記構成により、車両ボディ等の配索面の接着層にフラット電線の重ね合わせ部が解かれつつ効率的に固定される。
【発明の効果】
【００２４】
以上の如く、請求項１記載の発明によれば、フラット電線をＵターンさせて複数層に平行に配索することで、配索工程を省スペース化できると共に、配索中の捩れを容易に発見でき、捩れを防止することができる。また、フラット電線の重なり部を密着させた状態でテープ等で仮固定することで、配索治具から外した後のフラット電線の捩れを確実に防止することができる。そして、重ね合わせ部を順に解いて車両ボディ等に順に配索することで、長いフラット電線を捩れなく容易に且つ確実に配索することができる。これらにより、配索作業性及び配索品質が向上する。
【００２５】
請求項２記載の発明によれば、支柱が張り出した腕部を持たないので、配索工程が省スペース化され、フラット電線の小ピッチでの高密度な重ね合わせも可能となる。
【００２６】
請求項３記載の発明によれば、フラット電線を配索治具から外して車両ボディ等の配索面に配索する際に、一方の延長導出側を配索面に固定し、他方の延長導出側を引っ張ることで、フラット電線の重ね合わせ部を解きつつフラット電線を捩れなく効率的に配索することができる。
【００２７】
請求項４記載の発明によれば、フラット電線を捩れなく収束して、取り扱いを容易化させることができ、結束部材を外してフラット電線の重ね合わせ部を解きつつ車両ボディ等に捩れなく効率的に配索することができる。
【００２８】
請求項５記載の発明によれば、フラット電線の重ね合わせ部に続く一方の延長導出側を配索面に固定し、他方の延長導出側を引っ張ることで、結束部材が破断して、フラット電線の重ね合わせ部を解きつつ捩れなく効率的に配索を行なうことができる。
【００２９】
請求項６記載の発明によれば、作業者がマーク部でフラット電線の引張部を間違いなく容易に認識でき、それにより、車両ボディ等への配索を一層作業性良く行うことができる。
【００３０】
請求項７記載の発明によれば、フラット電線の重ね合わせ部に続く一方の延長導出側を配索面に固定し、他方の延長導出側を引っ張ることで、結束部材が破断して、フラット電線の重ね合わせ部を解きつつ捩れなく効率的に配索を行なうことができる。
【００３１】
請求項８記載の発明によれば、車両ボディ等の配索面にフラット電線の重ね合わせ部を解きつつ接着させて効率的に固定することができ、配索及び固定作業性が高まる。
【発明を実施するための最良の形態】
【００３２】
図１〜図５は、本発明に係るフラット電線配索治具構造及びフラット電線配索方法の各実施形態をそれぞれ示すものである。
【００３３】
図１の実施形態は、二本のフラット電線用配索治具（以下単に配索治具と言う）１，２を布線板（布線台）３の上に前後に並列に配設し、第一の配索治具１の垂直な支柱４から水平に突出した腕部５を、第二の配索治具２の垂直な支柱６から水平に突出した腕部７よりもやや高く位置させた状態で、可撓性のフラット電線８を水平な形態で第一の配索治具１の支柱４の横を通過させて第二の配索治具２の腕部７に下側から引っ掛けつつ上側で水平にＵターンさせ、次いで第一の配索治具１の腕部５に下側から引っ掛けて上側で水平にＵターンさせて、第二の配索治具２の支柱６の横を通過して延長させたものである。
【００３４】
各配索治具１，２の腕部５，７は短い円柱状に形成され、長い円柱状の支柱４，６から横向きに直角に突き出している。腕部５，７は円柱状や円筒状等、断面円形ないし半円形であることが、フラット電線８をスムーズに湾曲させる上で好ましい。支柱４，６は円柱状に限らず、断面矩形状や板状等、種々の形態のものを使用可能である。
【００３５】
各支柱４，６の基端（下端）は固定部９で布線板３に固定されている。本形態の固定部９は鍔状に突出し、スリット状の長孔にボルト１０を挿通してナット（図示せず）で布線板３に締付固定される。固定部として支柱４，６の下端にボルト状の雄ねじ部（図示せず）を一体に設け、雄ねじ部を布線板３の孔（図示せず）に挿通してナットで締付固定することも可能である。
【００３６】
第一の配索治具１の腕部５を第二の配索治具２の腕部７よりも高く位置させたのは、フラット電線８を腕部５に干渉することなく第二の配索治具２の腕部７にスムーズに配索させるためである。各腕部５，７の高さの差位は腕部７の外径にほぼ等しい。また、フラット電線８を下から上に配索するのは、作業者が上側のフラット電線層８ｂ（８ｃ）に邪魔されずに目視で確認しながら容易に且つ確実に配索できるためである。
【００３７】
なお、明細書中で第一の配索治具１とはフラット電線８の配索方向手前側の配索治具を言い、第二，第三の配索治具２…とは例えば配索方向に並んだ順や、配索順で便宜上示している。また、特許請求の範囲においては少なくとも二本の配索治具を含めてフラット電線用配索治具（治具群）としている。
【００３８】
フラット電線８は高さ方向に三枚ほぼ等間隔に隙間１１を存して重なって（幅方向の位置ずれなく）配索される。フラット電線８の最上層８ｃの真下に中間層８ｂが対向して位置し、中間層８ｂの真下に最下層８ａが対向して位置する。三つの層８ａ〜８ｃで重なり部（重ね部）８'が構成されている。
【００３９】
フラット電線８は複数本の導体部１２を並列に有し、各導体部１２は表裏の絶縁シート１３で覆われている。導体部１２は銅箔等の薄型のものが好ましいが、断面円形等の細径な導線を用いることも可能である。導体部１２の数は通常二本以上であるが一本であることも可能である。
【００４０】
フラット電線８を重ね方向に二回Ｕターンさせることで、フラット電線８の始端側８ｄと終端側８ｅとが１８０゜ずれた方向に位置する。二本の配索治具１，２を用いてフラット電線８をＵターンさせ、各Ｕターン部を板厚方向に重ね合わせて、例えば強度の弱いソフトテープ等で仮固定させることで、作業者がフラット電線８を車両等に配索する際に、テープを破りつつ、フラット電線８を下層８ａ、中層８ｂ、上層８ｃというように順に捩れなくスムーズ且つ確実に配索することができる。
【００４１】
また、布線板３へのフラット電線８の配索作業においては、フラット電線８を多層に且つ捩れなく配列させることで、布線板３の使用面積を小さくでき、配索工程の省スペース化を図ることができる。また、上記の如くフラット電線８の始端側８ｄと終端側８ｅとが１８０゜ずれた方向に位置することで、車両等への配索作業が容易化する。
【００４２】
また、配索作業中にフラット電線８に捩れが生じた場合は、フラット電線８のＵターン部が多層に且つ上下に配列されているから、作業者が目視で捩れを容易に発見して修正することができる。配索完了後に多層の重ね合わせ部をテープ等で仮止めしておくことで、フラット電線８を配索治具１，２から外した際やその後のフラット電線８の捩れが確実に防止される。これらの効果は後述の各実施形態においても同様である。
【００４３】
図２の実施形態は、第一，第二の配索治具１，２に加えて、第三，第四の配索治具１４，１５を電線配索方向に順に配置したものである。第一，第二の配索治具１，２については図１と同用であるので同じ符号を付して詳細な説明を省略する。支柱４，６の固定部９（図１）は図示を省略する。
【００４４】
第三の配索治具１４は第二の配索治具２よりも腕部１７の突出方向に少しずれて配置され、第一〜第三の配索治具１，２，１４が平面視で高さの低い二等辺三角形の頂点に位置する如く配置され、第四の配索治具１５は第三の配索治具１４よりも腕部１９の突出反対方向に少しずれて配置され、第一と第三の配索治具１，１４を結ぶ仮想線と、第二と第四の配索治具２，１５を結ぶ仮想線とが平行になるように、四本の配索治具１，２，１４，１５が千鳥状に互い違いに配置されている。
【００４５】
さらに、第一の配索治具１の腕部５は第二の配索治具２の腕部７よりも高く位置し、第三の配索治具１４の腕部１７は第一の配索治具１の腕部５と同じ高さに位置し、第四の配索治具１５の腕部１９は第二の配索治具２の腕部７と同じ高さに位置している。各腕部５，７，１７，１９は段違いで平行に位置している。各腕部５，７，１７，１９の長さは同じである。
【００４６】
フラット電線２０は水平な姿勢で第一の配索治具１の支柱４の横を通過して（２０ａ）第二の配索治具２の腕部７に下側から引っ掛けられつつ上側で後向きにＵターンされ（２０ｂ）、次いで第一の配索治具１の腕部５に下側から引っ掛けられつつ上側で前向きにＵターンされて（２０ｃ）、第二，第三の配索治具２，１４の支柱６，１６の横を通過しつつ水平方向に延長され、次いで第四の配索治具１５の腕部１９に下側から引っ掛けられつつ上側で後向きにＵターンされ（２０ｄ）、さらに第三の配索治具１４の腕部１７に下側から引っ掛けられて上側で前向きにＵターンされつつ前方に延長される（２０ｅ）。
【００４７】
図２の実施形態によれば、フラット電線２０の二カ所の各Ｕターン部（重なり部）２０'，２０'で長手方向中間部に二つの重ね合わせ部を形成することができ、フラット電線２０の長さを図１の形態よりもさらに短縮させて、布線板３の小型化・配索スペースの省スペース化を促進させることができると共に、長尺のフラット電線２０を捩れなく取り扱うことができる。
【００４８】
なお、図１の実施形態と図２の実施形態を組み合わせて用いることも可能である。この場合、計六本の配索治具１，２，１，２，１４，１５は等間隔ないし不等間隔に配置され、例えば図１の二本の配索治具１，２と図２の四本の配索治具１，２，１４，１５を遠く離間させて配置することも可能である。また、八本ないしそれ以上の数の配索治具を用いてフラット電線２０に多くの重ね合わせ部を形成させることも可能である。
【００４９】
図３の実施形態は、第一及び第二の配索治具２１，２２に各二本の腕部２４，２５、２７，２８を高さ方向に並列（平行）に設けて、フラット電線２９を多層（五層）に折り返して重ね合わせできるようにしたものである。
【００５０】
第一の配索治具２１の下側の腕部２４は第二の配索治具２２の下側の腕部２７よりも高く位置し、第一の配索治具２１の上側の腕部２５は第二の配索治具２２の上側の腕部２８よりも高く位置し、第二の配索治具２２の上側の腕部２８は第一の配索治具２１の上下の腕部２４，２５のほぼ中間の高さに位置している。また、各配索治具２１，２２の下側の腕部２４，２７は上側の腕部２５，２８よりも長く突出形成されている。下側の二本の腕部２４，２７の長さは同じで、上側の二本の腕部２５，２８の長さは同じである。二本の配索治具２１，２２における上下の腕部２４〜２５、２７〜２８の間隔は同程度である。
【００５１】
フラット電線２９は第一の配索治具２１の支柱２３の横を水平に通過して第二の配索治具２２の下側の長い腕部２７に下側から引っ掛けられつつ上側で後向きにＵターンされ、次いで第一の配索治具２１の下側の長い腕部２４に下側から引っ掛けられつつ上側で前向きにＵターンされ、次いで第二の配索治具２２の上側の短い腕部２８に下側から引っ掛けられつつ上側で後向きにＵターンされ、次いで第一の配索治具２１の上側の短い腕部２５に下側から引っ掛けられつつ上側で前向きにＵターンされて前方へ延長される。
【００５２】
配索に際して下側の腕部２４，２７が上側の腕部２５，２８よりも長いから、作業者がフラット電線２９を楽に下側の腕部２４，２７に引っ掛けることができ、配索性が高まると共に、上下の腕部２４〜２５，２７〜２８の識別を容易に行うことができて、誤配索が防止される。また、下側の腕部２４，２７にフラット電線２９を掛けた後、上側の腕部２５，２８に掛けるまでの間で、フラット電線２９が下側の腕部２４，２７から外れることが防止される。
【００５３】
なお、上下二本の腕部２４〜２５，２７〜２８は同じ長さであっても配索作業は可能である。また、上下二本に限らず上下三本ないしそれ以上の数で腕部を設けることも可能である。この場合、下に向かうにつれて腕部の長さが順次長くなっていることが好ましい。
【００５４】
図３においてフラット電線２９の五層（最下層２９ａ、中間層２９ｂ〜２９ｄ，最上層２９ｅ）の重なり部（重ね部）２９'を配索治具２１，２２から外しつつテープ等で仮止めすることで、長尺のフラット電線２９の長さを短縮して、捩れなく楽に取り扱うことができる。また、布線板３の使用面積も縮小され、高密度な配索が可能となる。
【００５５】
図３の実施形態を図１や図２の実施形態と組み合わせて同時に使用することも可能である。例えば、図２の第四の配索治具１５の次に図３の第一の配索治具２１を配置したり、反対に図３の第二の配索治具２２の後に図２の第一の配索治具１を配置してもよい。
【００５６】
図４の実施形態は、垂直な二本の円柱状の配索治具（支柱）３１，３２を用いて、あるいは図１の二本の配索治具１，２の支柱４，６の上部を用いて、フラット電線３３を縦置きの（垂直に立てた）姿勢で各配索治具３１，３２の支柱に沿ってＵターンさせるものである。各配索治具３１，３２の固定部は図示を省略している。支柱の符号は配索治具の符号３１，３２で代用する。図４の実施形態の内容を特許請求の範囲の請求項１に記載している。
【００５７】
第一の配索治具３１は電線配索方向に対して第二の配索治具３２よりも第二の配索治具３２のほぼ外径寸法分だけ内側に位相ずれしている。これにより、フラット電線３３が略Ｓ字状にスムーズに屈曲される。
【００５８】
フラット電線３３は第一の配索治具３１の横を通過して、第二の配索治具３２の上部に外側から引っ掛けられつつ内側へＵターンされ、次いで第一の配索治具３１の上部に内側から引っ掛けられつつ外側へＵターンされて前方へ延長される。フラット電線３３の厚さ方向外側の左右の層３３ａ，３３ｃと中間層３３ｂとで三層の重なり部（重ね部）３３'が構成される。
【００５９】
配索治具３１，３２にはその外周に電線滑り落ち止めの突部や鍔部（図示せず）を設けてもよい。また、第三の配索治具（図示せず）を第二の配索治具３２の近くに平行に配置し、第四の配索治具（図示せず）を第一の配索治具３１の近くに平行に配索して、複数の配索治具を千鳥状に配置して、図３の形態のようにフラット電線を多数層に折り返し対向させることも可能である。また、図４の実施形態を図１や図２あるいは図３の実施形態と組み合わせて使用することも可能である。これにより、複雑な配索形態に容易に対応することができる。
【００６０】
図５の実施形態（参考例）は、水平な腕部を有する配索治具と、垂直な腕部を有する配索治具との組み合わせで、フラット電線をＵターンさせるのみならず、上下方向にも傾斜状に配索させることができるものである。
【００６１】
第一の配索治具３５は支柱３６と直角な腕部３７を斜め内向きに位置させ、第二の配索治具３８は支柱３９と直角な腕部４０を外向きに位置させ、第三の配索治具４１は、支柱４２と直角な第一の腕部４３と、支柱４２の上端に直交する水平な第二の腕部４４と、第二の腕部４４から垂直に長く突出した第三の腕部４５とを有して、アップダウン治具として作用する。第一の配索治具３５の腕部３７は第二の配索治具３８の腕部４０よりも腕部４０のほぼ外径寸法分だけ高く位置している。また、第三の配索治具４１の第三の腕部４５は他の腕部４３，４４よりも長く突出形成されている。第三の腕部４５の下端（付け根）は第一の配索治具３５の腕部３７と同程度の高さに位置する。
【００６２】
フラット電線４６は、第一の配索治具３５の支柱３６の横を通過して、第二の配索治具３８の腕部４０に下側から引っ掛けられて上側でＵターンされ、次いで第一の配索治具３５の腕部３７に下側から引っ掛けられてほぼ直交する方向に屈曲され、次いで第三の配索治具４１の上向きの第三の腕部４５に引っ掛けられてほぼ直交しつつ斜め上向きに延長される。
【００６３】
フラット電線４６は第一〜第二の配索治具３５，３８，４１において水平（断面横向き）に配索され（４６ａ，４６ｂ）、第一，第三の配索治具３５，４１において断面傾斜状の姿勢で配索され（４６ｃ）、第三の配索治具４１から図４と同じ縦置きに配索される（４６ｄ）。第三の配索治具４１の腕部４５に沿ってフラット電線４６は上下に昇降可能であり、配索時のフラット電線４６の強い引張や弛みに対応することができる。
【００６４】
なお、第三の配索治具４１において腕部４５から斜め下向きにフラット電線４６（４６ｄ）を延長することも可能であり、あるいは腕部４５から図４と同様に水平方向に延長することも可能である。また、図３の如く複数段の腕部２４，２７，２８を用いて四層の重ね部を形成した後、腕部２５に代わる図５の腕部３７から上向きの腕部４５にフラット電線４６を配索することも可能である。
【００６５】
図６〜図７は、本発明に係るフラット電線組立体と車両等へのフラット電線配索方法の一実施形態を示すものである。
【００６６】
図６の如く、フラット電線組立体４７は、例えば上記図１〜図５の配索治具１，２等を用いてＵターンされ、厚さ方向の重ね合わせ部４８'を有するフラット電線４８と、重ね合わせ部４８'を仮固定する破断容易な紙テープ等のソフトテープ（結束部材）４９と、重ね合わせ部４９の最上層４８ｃに続くフラット電線４８の延長部４８ｅに設けられたマーク部５０とを備えるものである。
【００６７】
重ね合わせ部４８'は多層（本形態で上中下の三層）４８ａ〜４８ｃに重ね合わされてＵターン屈曲基部４８ｆを除く平坦部分が上下に捩れなく密着し、その状態で重ね合わせ部４８'の中央がテープ４９で仮止めされている。テープ４９は破断容易なように細幅であってもよい。また、マーク部５０はテープを巻いたもの等でよく、作業者が容易に認識できる色等のものが好ましい。フラット電線４８の一方４８ｄは重ね合わせ部４８'の最下層４８ａに続き、フラット電線４８の他方４８ｅは重ね合わせ部４８'の最上層４８ｃに続いて、一方４８ｄと他方４８ｅは１８０度反対の方向に延びている。
【００６８】
図７の如く、フラット電線４８を車両ボディや車両パネル等の配索面５１に配索するに際しては、配索面５１に例えば両面テープや接着剤等により接着層５２を形成し、図６のフラット電線組立体４７の最下層４８ａに続く延長部分４８ｄを重ね合わせ部４８'の少し前方で押さえて接着層５２に固定し、その部分を起点部４８ｇとして、作業者がマーク部５０を手で持って後方（電線配索方向）に引っ張ることで、図７の如くテープ４９が破断して、重ね合わせ部４８'の中間層４８ｂ、最上層４８ｃの順で配索面５１に沿って捩れなく配索されつつ、接着層５２で接着されて固定される。これにより、長尺のフラット電線４８を捩れなく作業性良く簡単に且つ確実に配索面５１に配索固定させることができる。
【００６９】
なお、マーク部５０は重ね合わせ部４８'の最上層４８ｃに続く電線部分４８ｅを認識させるためのものであり、作業者が習熟していれば省略しても構わない。また、フラット電線４８の起点部４８ｇを係止クリップ等で配索面５１に固定させ、次いで上記同様にフラット電線４８を引き延ばして配索面５１に接着固定させたり、あるいは接着層５２を用いずに係止クリップ（図示せず）で固定させたりすることも可能である。係止クリップは合成樹脂で形成され、可撓性の爪部を有して、配索面５１の孔部（図示せず）に挿入係止されるものである。また、図６の形態のフラット電線組立体４７は図１の形態の配索方法で製造したものであり、それ以外に図２〜図５の各形態で製造したフラット電線組立体を用いることも可能である。
【図面の簡単な説明】
【００７０】
【図１】本発明におけるフラット電線配索治具構造及びフラット電線配索方法の第一の実施形態を示す斜視図である。
【図２】フラット電線配索治具構造及びフラット電線配索方法の第二の実施形態を示す斜視図である。
【図３】フラット電線配索治具構造及びフラット電線配索方法の第三の実施形態を示す斜視図である。
【図４】本発明に係るフラット電線配索治具構造及びフラット電線配索方法の第四の実施形態を示す斜視図である。
【図５】フラット電線配索治具構造及びフラット電線配索方法の第五の実施形態（応用例）を示す斜視図である。
【図６】本発明に係るフラット電線組立体の一実施形態を示す側面図である。
【図７】同じく車両ボディ等へのフラット電線配索方法の一形態を示す側面図である。
【図８】従来の電線配索治具と電線配索方法の一形態を示す側面図である。
【符号の説明】
【００７１】
３１，３２  フラット                        電線用配索治具
４，６，１６，１８，２３，２６              支柱
８，２０，２９，３３，４８                  フラット電線
８’，２０’，２９’，３３’                重なり部（重ね部）
４９                                        ソフトテープ（結束部材）
５０                                        マーク部
５１                                        配索面
【図１】
2008117784.tif 000003
【図２】
2008117784.tif 000004
【図３】
2008117784.tif 000005
【図４】
2008117784.tif 000006
【図５】
2008117784.tif 000007
【図６】
2008117784.tif 000008
【図７】
2008117784.tif 000009
【図８】
2008117784.tif 000010